(57)【要約】【課題】従来技術のような吹出口の左右羽根構成では部品点数が多くなり、組み立てに多くの工数が発生し、部品点数が多い故に、その管理が煩雑となり生産性を低下させるとともに、連動桟を左右風向変更板よりも、上流に配置されているため、送風路面に形成される溝が大きな通風抵抗となる。【解決手段】スタビライザ８と下面壁を形成するリアガイダ５を一体で成型する構成とし、左右羽根３の下部の回転座３Ａを取り付けるために、リアガイダ５の吹き出し部にリアガイダ先端５Ｅからつながる段差を設ける。【選択図】図２
2011169524.tif 000002
【特許請求の範囲】
【請求項１】
本体内に、熱交換器と、クロスフローファンと、吹出口とを備え、前記クロスフローファンから前記吹出口までの通風路には、前記クロスフローファンの回転軸方向に延設され前記クロスフローファンの前側で近接した部分に形成したスタビライザと、前記スタビライザから吹き出し方向に形成された上面壁と、前記クロスフローファンの後側から下面壁を形成するリアガイダと、吹き出し空気の上下方向の向きを制御する上下羽根と、左右方向の向きを制御する左右羽根とを備えた空気調和機の室内ユニットであって、前記スタビライザと前記下面壁を形成するリアガイダを一体で成型する構成とし、前記左右羽根の下部の回転座を取り付けるために、前記リアガイダの先端からつながる段差を設けることを特徴とする送風機。
【請求項２】
前記段差を前記リアガイダに設け、下流に向かって徐々に形状を盛り上げて、吹き出し口の先端までには、左右と同一面高さとなることを特徴とする請求項１記載の送風機。
【請求項３】
前記左右羽根を連結して稼動させる連結桟を配置するために、前記リアガイダの長手方向に溝を左右羽根の下流部に設けることを特徴とする請求項１及び２記載の送風機。
【発明の詳細な説明】
【技術分野】
【０００１】
本発明は、空気調和機の室内ユニットにおいて、吹出口の構成による生産性向上と送風性能の向上に関するものである。
【背景技術】
【０００２】
図６は、従来技術を搭載した空気調和機の断面図、図７は、同空気調和機の左右羽根の組み立て斜視図、図８は、同空気調和機の左右羽根の搭載断面図である。
【０００３】
空気調和機の本体１の略中央に設けた送風ファン４の前方と上方とに熱交換器２を、下方に吹出口１１を設け、同吹出口１１に吹き出し空気の左右方向を調整する左右風向板３と、上下風向を調整する上下風向板６とを設け、前記本体１の前面と上面とに設けた吸込口７より吸込んだ空気を、前記吹出口１１より、前記左右風向板３にて左右風向を、前記上下風向板６にて上下風向を調整して吹き出す空気調和機において、ＡＢＳ等の樹脂製の連結桟３Ｃの薄肉状のヒンジ３ｅで揺動自在に接続された複数の左右風向板３の下端に一体にもうけた揺動軸３ａの先端外周に、対向した二つの突起体３ｂを前記左右風向板３に対して平行（ａ°＝０°）に一体に設け、本体１の吹出口１１の下部に形成した軸受穴１１ａの外周に前記突起体３ｂが挿通する切欠部１１ｂを前記吹出口１１の左右方向に形成し、同切欠部１１ｂと前記突起体３ｂとの位置を合わせて前記揺動軸３ａを前記軸受穴１１ａに挿通する一方、前記吹出口１１の下部に、前記左右風向板３が左右に所定の範囲揺動したときの前記左右風向板３と前記連動桟３ｃとの接続部３ｄの位置の近傍に前記吹出口１１と一体に設け、前記左右風向板３の所定の揺動範囲では前記突起体３ｂが前記軸受け穴１１ａの外周に引っ掛かり抜け止めとなっている。
【０００４】
また、前記ストッパ体１１ｃの位置を、前記左右風向板３が左右に所定の範囲揺動したときの前記左右風向板３と前記連動桟３ｃとの接続部３ｄの位置の近傍とすることにより、前記左右風向板の向きを変えようとする力に対して、前記連動桟３ｃが動き難くなることにより、同連動桟３ｃに接続した前記左右風向板３が回転し難くなり、外れ難くなる。
【０００５】
また、前記ストッパ体１１ｃを前記吹出口１１に一体に成形することにより、部品点数を削減し、寸法および形状の精度を向上することができる。
【先行技術文献】
【特許文献】
【０００６】
【特許文献１】特開２００８−００２７８１号公報
【発明の概要】
【発明が解決しようとする課題】
【０００７】
従来技術のような構成では部品点数が多くなり、組み立てに多くの工数が発生する。また、部品点数が多い故に、その管理が煩雑となり生産性を低下させることになる。また、連動桟を左右風向変更板よりも、上流に配置されているため、送風路面に形成される溝が大きな通風抵抗となる。さらには、部品が多いために、通風抵抗を助長することになる。
【課題を解決するための手段】
【０００８】
前記課題を解決するために、本発明の空気調和機の室内ユニットは、スタビライザと下面壁を形成するリアガイダを一体で成型する構成をとり、左右羽根の下部の円形の回転座を取り付けるために、スタビライザまたはリアガイダの吹き出し部にＵ字型の段差を設ける。
【発明の効果】
【０００９】
前記手段によって、スタビライザ、リアガイダを一体で成型され部品点数が少なくなり、組み立て易くなる。加えて、Ｕ字型の溝を形成することにより、左右羽根の取り付けも簡単になる。さらに、左右羽根の下部の円形の回転座をＵ字型の段差にはめ込むことにより、通風抵抗を減少させることができる。
【００１０】
また、Ｕ字型の溝の下流端を周囲のリアガイダの面に合わせるため、風速分布が安定して居住空間に送風することができる。また、これにより送風性能が向上すると同時に、吹き出し部の結露を防止することができる。
【００１１】
さらに、左右羽根を連結して稼動させる連結桟（連動桟）を、左右羽根の下流部に長手方向に溝を設けて配置することにより、通風抵抗を減少させることができる。
【図面の簡単な説明】
【００１２】
【図１】本発明の実施の形態１における空気調和機の室内ユニットの斜視図
【図２】本発明の実施の形態１における空気調和機の室内ユニットの断面図
【図３】本発明の室内ユニットの左右羽根を搭載した吹き出し部分の断面図
【図４】本発明の室内ユニットの吹き出し部分の断面図
【図５】本発明の室内ユニットの図４の矢印方向から見た部分正面図
【図６】従来技術を搭載した空気調和機の断面図
【図７】従来技術を搭載した空気調和機の左右羽根の組み立て斜視図
【図８】従来技術を搭載した空気調和機の左右羽根の搭載断面図
【発明を実施するための形態】
【００１３】
第１の発明の空気調和機の室内ユニットは、本体内に、熱交換器と、クロスフローファンと、吹出口とを備え、前記クロスフローファンから前記吹出口までの通風路には、前記クロスフローファンの回転軸方向に延設され前記クロスフローファンの前側で近接した部分に形成したスタビライザと、前記スタビライザから吹き出し方向に形成された上面壁と、前記クロスフローファンの後側から下面壁を形成するリアガイダと、吹き出し空気の上下方向の向きを制御する上下羽根と、左右方向の向きを制御する左右羽根とを備えた空気調和機の室内ユニットであって、前記スタビライザと前記下面壁を形成するリアガイダを一体で成型する構成とし、前記左右羽根の下部の回転座を取り付けるために、前記リアガイダの先端からつながる段差を設けることを特徴とする。
【００１４】
これによって、左右羽根の下部の円形の回転座をＵ字型の段差にはめ込むような構成となって部品点数が少なくなり、組み立て易くなる。加えて、Ｕ字型の溝を形成することにより、左右羽根の取り付けも簡単になる。さらに、左右羽根の下部の円形の回転座をＵ字型の段差にはめ込むことにより、送風路面としては回転座によってフラット形になり通風抵抗を減少させることができる。
【００１５】
第２の発明の空気調和機の室内ユニットは、前記Ｕ字型の段差を前記スタビライザまたは前記リアガイダに設け、下流に向かって徐々に形状を盛り上げて、吹き出し口の先端までには、左右と同一面高さとなることを特徴とする。これによって、Ｕ字型の溝の下流端を周囲のリアガイダの面に合わせるため、風速分布が安定して居住空間に送風することができる。また、これによりファン軸方向の乱れが抑制されて送風性能が向上する。加えて、風速分布がファン軸方向で安定しているため、外部からの巻き込み流れが抑制されて吹き出し部の結露を防止することができる。
【００１６】
第３の発明の空気調和機の室内ユニットは、前記左右羽根を連結して稼動させる連結桟
を配置するために、前記スタビライザまたは前記リアガイダの長手方向に溝を左右羽根の下流部に設けることを特徴とする。この構成により、送風路面としては連結桟によってフラット形になり通風抵抗を減少させることができる。
【００１７】
以下に本発明の実施の形態について、図面を用いて説明する。なお、この実施の形態によって本発明が限定されるものではない。
【００１８】
（実施の形態１）
図１は本発明の実施の形態１における空気調和機の室内ユニットの斜視図であり、図２は同室内ユニットの断面図である。図１、図２において、空気調和機の室内ユニットの本体１は、吸込口７と、熱交換器２と、吹出口１１とクロスフローファン４とを備え、クロスフローファン４を運転して吸込口７より室内の空気を取り入れ、熱交換器２で熱交換された空気を吹出口１１より吹き出す。クロスフローファン４から吹出口１１までの通風路１３においては、クロスフローファン４の前側の近接した部分で回転軸方向に延設されたスタビライザ８と、スタビライザ８から吹き出し方向に形成された上面壁９と、クロスフローファン４の後側から吹出口１１にかけて下面壁を形成するリアガイダ５と、左右の側壁（図示せず）と、断面が略円弧状で、吹き出し空気の上下方向の向きを制御する上下羽根６と、左右方向の向きを制御する左右羽根３とを備えている。
【００１９】
図３は、スタビライザ８と、クロスフローファン４の後側から吹出口１１にかけて下面壁を形成するリアガイダ５とが一体成型された吹出口構成部品２１において、左右方向の向きを制御する左右羽根３が搭載された状態の断面を示す。図４は、左右方向の向きを制御する左右羽根３が搭載されていない状態での断面図で、図５はその要部正面図である。
【００２０】
スタビライザ８と、クロスフローファン４の後側から吹出口１１にかけて下面壁を形成するリアガイダ５とが一体成型された吹出口構成部品２１において、左右羽根３の円形の回転座３Ａを搭載するために、リアガイダ５の先端からつながるＵ字型の段差５Ａを設ける。そして、この段差５Ａに左右羽根３の回転座３Ａを、図３に示すように段差５Ａと高さを合わせるように配置して、リアガイダ５の表面と回転座３Ａの表面とがフラットになるようにする。これによって、通風抵抗が低減されて風量性能が向上することになる。
【００２１】
また、Ｕ字型の溝にすることにより、図４のようなスタビライザ８とリアガイダ５を樹脂などで一体成型する場合においても、樹脂成形型のアンダーカットが発生せずに生産が可能となる。加えて、左右羽根３を取り付けるにあたり、Ｕ字型の段差先端５Ｂから挿入して、挿入孔５Ｃに差し込むことが容易となり組み立て工数が軽減できる。さらには、部品点数が少なくなり、管理が容易に成る。
【００２２】
（実施の形態２）
図４、図５において、リアガイダの段差５Ａから下流に向かい段差変位部５Ｄまで一定のフラット面を形成して、左右羽根３の回転座を配置できるようにする。そして、段差変位部５Ｄから、さらに下流に向かい段差が徐々に盛り上がり、吹出し口１１の下部の先端においては、Ｕ字型の段差先端５Ｂと周囲のリアガイダ先端５Ｅと同じ高さとなり、直線状にそろうようになる。
【００２３】
これによって、Ｕ字型の段差先端５Ｂを周囲のリアガイダの面に合わせるため、風速分布が安定して居住空間に送風することができる。また、これによりファン軸方向の乱れが抑制されて送風性能が向上する。加えて、風速分布がファン軸方向で安定しているため、外部からの巻き込み流れが抑制されて吹き出し部の結露を防止することができる。
【００２４】
さらに、空調機の正面からみた場合、吹出し口１１の下部のラインが、Ｕ字型の段差先
端５Ｂとリアガイダ先端５Ｅと一直線になるため美観も向上する。
【００２５】
（実施の形態３）
図３において、左右に並んだ複数の左右羽根３を連動させる連結桟３Ｃを、左右羽根３の下流の下部に配置して、左右羽根３を回転駆動できるようにする。図５において、Ｕ字型の段差５Ａの下流部にファン４の軸方向に溝５Ｆを設けて、その溝部に連結桟３Ｃを段差の高さを合わせるように配置する。これによって、リアガイダ５の表面と連結桟３Ｃとがフラットになるようにする。これによって、通風抵抗が低減されて風量性能が向上することになる。
【００２６】
また、溝５Ｆが左右羽根３の下流にあるため、部品間のクリアランスにより若干の段差などが発生しても、その影響は小さい。
【産業上の利用可能性】
【００２７】
以上のように、本発明の空気調和機の室内ユニットにおいて、スタビライザとリアガイダを一体で成型する構成をとり、左右羽根の下部の円形の回転座を取り付けるためのリアガイダの吹き出し部に段差を設けることにより通風抵抗を減少させて送風性能を向上させるとともに、部品点数を削減して管理工数、組み立て工数を削減して生産性を向上させる送風機の用途に適用できる。
【符号の説明】
【００２８】
１  本体
２  熱交換器
３  左右羽根
３Ａ  回転座
４  ファン
５  リアガイダ
５Ａ  段差
５Ｂ  段差先端
５Ｃ  挿入孔
５Ｄ  段差変位部
５Ｅ  リアガイダ先端
５Ｆ  溝
６  上下変更羽根（フラップ）
７  吸込口
８  スタビライザ
９  上面壁
１１  吹出口
１３  送風路
【図２】
2011169524.tif 000003
【図３】
2011169524.tif 000004
【図４】
2011169524.tif 000005
【図５】
2011169524.tif 000006
【図１】
2011169524.tif 000007
【図６】
2011169524.tif 000008
【図７】
2011169524.tif 000009
【図８】
2011169524.tif 000010